(57)【要約】【課題】容易な操作で少数のｃｈストリップに無駄なく複数ｃｈを割り当てることができるディジタルミキサを提供することを目的とする。【解決手段】ディジタルミキサにおいて、各ｃｈに単独で使用するか他の所定のｃｈとともにグループ化して使用するかを規定するｃｈ定義を設定する。割り当てたい１つのｃｈストリップと１つのｃｈが選択されたとき、該ｃｈが単独で使用するｃｈかグループ化して使用するｃｈかを判定し、グループ化して使用するｃｈであった場合、該グループに属する複数のｃｈを当該１つのｃｈストリップに割り当て、該ｃｈストリップの操作子で前記グループに属する複数のｃｈのパラメータを同時操作できるように設定する。単独で使用するｃｈであった場合、その１つのｃｈを当該１つのｃｈストリップに割り当て、該ｃｈストリップの操作子で前記選択された１つのｃｈのパラメータを操作できるように設定する。【選択図】  図４
2011023839.tif 000002
【特許請求の範囲】
【請求項１】
少なくとも複数の入力チャンネルを含む複数のオーディオ信号処理チャンネル（以下「ｃｈ」という）を備えたディジタルミキサであって、
割り当てられたｃｈのパラメータを設定変更する操作子を備えた複数のｃｈストリップと、
前記各ｃｈのｃｈ定義を設定するｃｈ定義設定手段であって、前記ｃｈ定義とは当該ｃｈを単独で使用するか他の所定のｃｈとともにグループ化して使用するかを規定するものと、
前記複数のｃｈストリップから１つの割り当て元ｃｈストリップを選択するｃｈストリップ選択手段と、
前記複数のｃｈから１つの割り当てたいｃｈを選択するｃｈ選択手段と、
前記選択されたｃｈに設定されているｃｈ定義に従って、該ｃｈが単独で使用するｃｈかグループ化して使用するｃｈかを判定する判定手段と、
前記選択されたｃｈがグループ化して使用するｃｈであった場合、該グループに属する複数のｃｈを前記選択された１つのｃｈストリップに割り当て、該ｃｈストリップの操作子で前記グループに属する複数のｃｈのパラメータを同時操作できるように設定するグループ化ｃｈ割り当て手段と、
前記選択されたｃｈが単独で使用するｃｈであった場合、前記選択された１つのｃｈを前記選択された１つのｃｈストリップに割り当て、該ｃｈストリップの操作子で前記選択された１つのｃｈのパラメータを操作できるように設定する単独ｃｈ割り当て手段と
を備えたことを特徴とするディジタルミキサ。
【請求項２】
少なくとも複数の入力チャンネルを含む複数のオーディオ信号処理チャンネル（以下「ｃｈ」という）を備えたディジタルミキサであって、
割り当てられたｃｈのパラメータを設定変更する操作子を備えた複数のｃｈストリップと、
前記各ｃｈのｃｈ定義を設定するｃｈ定義設定手段であって、前記ｃｈ定義とは当該ｃｈを単独で使用するか他の所定のｃｈとともにグループ化して使用するかを規定するものと、
前記グループ化すると設定された複数のｃｈを前記ｃｈストリップへ割り当てる際の割り当て規則を設定する割り当て規則設定手段と、
前記複数のｃｈストリップから１つの割り当て元ｃｈストリップを選択するｃｈストリップ選択手段と、
前記複数のｃｈから１つの割り当てたいｃｈを選択するｃｈ選択手段と、
前記選択されたｃｈに設定されているｃｈ定義に従って、該ｃｈが単独で使用するｃｈかグループ化して使用するｃｈかを判定する判定手段と、
前記選択されたｃｈがグループ化して使用するｃｈであった場合、該グループに属する複数のｃｈを、前記選択された１つのｃｈストリップを含む１つ以上のｃｈストリップに、前記選択された割り当て規則に従って割り当て、割り当てたｃｈストリップの操作子で前記グループに属する所定の複数のｃｈのパラメータを同時操作できるように設定するグループ化ｃｈ割り当て手段と、
前記選択されたｃｈが単独で使用するｃｈであった場合、前記選択された１つのｃｈを前記選択された１つのｃｈストリップに割り当て、該ｃｈストリップの操作子で前記選択された１つのｃｈのパラメータを操作できるように設定する単独ｃｈ割り当て手段と
を備えたことを特徴とするディジタルミキサ。
【請求項３】
請求項２に記載のディジタルミキサにおいて、
前記ｃｈ定義情報設定手段により設定されるｃｈ定義情報は、所定の複数のｃｈをサラウンドとしてグループ化して使用することを示す定義情報を含み、
前記割り当て規則設定手段により設定される割り当て規則は、サラウンドとして使用する複数ｃｈの全てを１つのｃｈストリップに割り当てることを示す第１のタイプ、サラウンドとして使用する複数のｃｈを重低音出力のためのｃｈとそれ以外のｃｈに分け、重低音出力のためのｃｈに１つのｃｈストリップを割り当て、それ以外のｃｈに１つのｃｈストリップを割り当てることを示す第２のタイプ、および、サラウンドとして使用する複数のｃｈをステレオＬＲでペアを組むｃｈとそれ以外のｃｈに分け、ステレオＬＲでペアを組むｃｈはそのペア毎に１つのｃｈストリップを割り当て、それ以外のｃｈはｃｈ毎に１つのｃｈストリップを割り当てることを示す第３のタイプを含み、
前記グループ化ｃｈ割り当て手段は、前記ｃｈ定義情報設定手段により前記サラウンドとしてグループ化して使用することを示す定義情報が設定され、前記割り当て規則設定手段により前記第１から第３のタイプの何れかが設定されたときには、該タイプに従ってｃｈストリップの割り当てを行う
ことを特徴とするディジタルミキサ。
【請求項４】
少なくとも複数の入力チャンネルを含む複数のオーディオ信号処理チャンネル（以下「ｃｈ」という）を備えたディジタルミキサにおいて、
割り当てられたｃｈのパラメータを設定変更する複数の操作子を備えた複数のｃｈストリップであって、前記複数の操作子は、複数のｃｈで制御を共用できるパラメータの設定変更に使用する共用操作子、および複数のｃｈのそれぞれで個別に制御するパラメータの設定変更に使用する個別操作子を含むものと、
前記ｃｈストリップの各々に、前記複数のｃｈから選択された任意の数のｃｈを割り当てる割り当て手段と、
１つのｃｈストリップに割り当てられたｃｈが複数の場合に、該割り当てられた複数のｃｈのうちの１つを選択して、当該選択したｃｈを個別操作子の操作対象ｃｈとして設定する個別操作ｃｈ設定手段と、
前記割り当て手段により１個のｃｈが割り当てられたｃｈストリップの操作子が操作された場合、該操作された操作子が共用操作子と個別操作子のいずれであっても、該操作に応じて、割り当てられたｃｈのみのパラメータを設定変更する第１のパラメータ制御手段と、
前記割り当て手段により複数のｃｈが割り当てられたｃｈストリップの操作子のうち、共用操作子が操作された場合は、該操作に応じて、割り当てられた複数のｃｈのパラメータを連動して設定変更し、個別操作子が操作された場合は、該操作に応じて、割り当てられた複数のｃｈのうち前記個別操作ｃｈ設定手段により選択された１つのｃｈのみのパラメータを設定変更する、第２のパラメータ制御手段と
を備えたことを特徴とするディジタルミキサ。
【発明の詳細な説明】
【技術分野】
【０００１】
この発明は、外部パネル上に設けられた操作子に任意のチャンネル（ｃｈ）を割り当て、１つの操作子の操作で、割り当てられた１つ乃至複数のｃｈのパラメータの設定・変更を行う機能を備えたディジタルミキサに関する。
【背景技術】
【０００２】
従来より、外部パネル（ミキシングコンソール）上にフェーダやスイッチなどの物理操作子を備えたディジタルミキサが知られている。ディジタルミキサには、ユーザが操作するコンソールと入力した信号のミキシング処理を行うミキサエンジンとを別体の装置で構成し、ケーブルで接続する形態のものと、これらを一体化した形態のものがある。何れの形態であっても、設置面積を抑えるため、コンソールの省スペース化が望まれる。そのためには、コンソール上の操作子の数を減らす必要がある。一方、近年ではディジタルミキサにおける処理ｃｈ数が増加し、少数の操作子で多数のｃｈをどのように表現するかが大切である。特に、無駄なく、コンパクトで、使いやすい表現が望まれる。
【０００３】
下記の非特許文献１には、フェーダ、レベルメータ、および各種のボタンなどの操作子を備えたｃｈストリップを複数備え、入力ｃｈを各ｃｈストリップに割り当てて操作可能にしたディジタルミキサが開示されている。ｃｈストリップへの入力ｃｈの割り当ての１つとして、レイヤーを切り替える方法がある（非特許文献１の第４５頁）。これは、例えば４８ｃｈある入力ｃｈを入力ｃｈ１〜２４の第１のレイヤーと入力ｃｈ２５〜４８の第２のレイヤーに分け、所定のスイッチでレイヤーを切り替えて、２４本のｃｈストリップに入力ｃｈ１〜２４または入力ｃｈ２５〜４８を割り当てるものである。この場合、レイヤーが切り替わっても、１本のｃｈストリップに割り当てるｃｈは１つである。また、８本の所定のフェーダに任意の入力ｃｈを割り当てるフェーダアサイン機能もある（非特許文献１の第２１２頁）。この場合も、１本のフェーダに割り当てるｃｈは１つである。さらに、ＤＣＡストリップと呼ばれる所定のｃｈストリップに、複数のｃｈを割り当てて、１本のｃｈストリップで複数ｃｈの一括操作を行う機能がある（非特許文献１の第８１頁）。
【先行技術文献】
【非特許文献】
【０００４】
【非特許文献１】DIGITAL MIXING CONSOLE PM5D/PM5D-RH V2、DIGITAL MIXING SYSTEM DSP5D、取扱説明書、２００４年、ヤマハ株式会社
【発明の概要】
【発明が解決しようとする課題】
【０００５】
上述した１本のｃｈストリップに１つのｃｈを割り当てる方式では、ｃｈストリップに割り当てられるｃｈの数はｃｈストリップの数に限られる。従って、例えばステレオ関係にある２つのｃｈやサラウンド関係にある６つのｃｈを割り当てる場合、２本や６本のｃｈストリップを占有してしまう。一方、これらの関係にあるｃｈに対しては同じ操作を行うことが多い。割り当てるｃｈの数だけｃｈストリップを占有することは無駄が多い。
【０００６】
上述のＤＣＡストリップには、１本のｃｈストリップに複数のｃｈを割り当てることができるので、ｃｈストリップの無駄な使用が抑えられる。しかし、ＤＣＡストリップへのｃｈの割り当ては、操作が面倒で手間がかかる。また、ＤＣＡストリップで変更できるパラメータは、複数のｃｈで共通に変更できるパラメータのみである。複数のｃｈのそれぞれで個別に変更するパラメータについては、ＤＣＡストリップとは別に、入力ストリップなどへそれらのｃｈを割り当てて個別に変更しなければならない。そのために、無駄にｃｈストリップを使ってしまうことになる。
【０００７】
この発明は、容易な操作で少数のｃｈストリップに無駄なく複数ｃｈを割り当てることができ、また、少数のｃｈストリップを無駄なく使って、１つのｃｈストリップに複数ｃｈを割り当てた場合でも、そのｃｈストリップ内の操作子を使って複数ｃｈの基本的なパラメータを変更することができるディジタルミキサを提供することを目的とする。
【課題を解決するための手段】
【０００８】
この目的を達成するため、本発明は、少なくとも複数の入力ｃｈを含む複数のオーディオ信号処理ｃｈを備えたディジタルミキサにおいて、各ｃｈに、当該ｃｈを単独で使用するか他の所定のｃｈとともにグループ化して使用するかを規定するｃｈ定義を設定し、割り当てたい１つのｃｈストリップと１つのｃｈが選択されたとき、選択されたｃｈに設定されているｃｈ定義に従って、該ｃｈが単独で使用するｃｈかグループ化して使用するｃｈかを判定し、選択されたｃｈがグループ化して使用するｃｈであった場合、該グループに属する複数のｃｈを当該１つのｃｈストリップに割り当て、該ｃｈストリップの操作子で前記グループに属する複数のｃｈのパラメータを同時操作できるように設定し、選択されたｃｈが単独で使用するｃｈであった場合、その１つのｃｈを当該１つのｃｈストリップに割り当て、該ｃｈストリップの操作子で前記選択された１つのｃｈのパラメータを操作できるように設定することを特徴とする。
【０００９】
グループ化すると設定された複数のｃｈを前記ｃｈストリップへ割り当てる際の割り当て規則を設定できるようにしてもよい。この場合、前記選択されたｃｈがグループ化して使用するｃｈであった場合、該グループに属する複数のｃｈを、前記選択された１つのｃｈストリップを含む１つ以上のｃｈストリップに、前記選択された割り当て規則に従って割り当て、割り当てたｃｈストリップの操作子で前記グループに属する所定の複数のｃｈのパラメータを同時操作できるように設定するものとする。
【００１０】
また、ｃｈ定義情報は、所定の複数のｃｈをサラウンドとしてグループ化して使用することを示す定義情報を含み、前記割り当て規則は、サラウンドとして使用する複数ｃｈの全てを１つのｃｈストリップに割り当てることを示す第１のタイプ、サラウンドとして使用する複数のｃｈを重低音出力のためのｃｈとそれ以外のｃｈに分け、重低音出力のためのｃｈに１つのｃｈストリップを割り当て、それ以外のｃｈに１つのｃｈストリップを割り当てることを示す第２のタイプ、および、サラウンドとして使用する複数のｃｈをステレオＬＲでペアを組むｃｈとそれ以外のｃｈに分け、ステレオＬＲでペアを組むｃｈはそのペア毎に１つのｃｈストリップを割り当て、それ以外のｃｈはｃｈ毎に１つのｃｈストリップを割り当てることを示す第３のタイプを含むようなものとしてもよい。この場合、前記サラウンドとしてグループ化して使用することを示す定義情報が設定され、前記第１から第３のタイプの何れかが設定されたときには、該タイプに従ってｃｈストリップの割り当てを行うものとする。
【００１１】
さらに、本発明では、少なくとも複数の入力ｃｈを含む複数のオーディオ信号処理ｃｈを備えたディジタルミキサにおいて、ｃｈストリップ内の複数の操作子を、複数のｃｈで制御を共用できるパラメータの設定変更に使用する共用操作子と、複数のｃｈのそれぞれで個別に制御するパラメータの設定変更に使用する個別操作子に分けておく。そして、ｃｈストリップの各々に、複数のｃｈから選択された任意の数のｃｈを割り当てる場合、１つのｃｈストリップに割り当てられたｃｈが複数のときは、該割り当てられた複数のｃｈのうちの１つを選択して、当該選択したｃｈを個別操作子の操作対象ｃｈとして設定する。１個のｃｈが割り当てられたｃｈストリップの操作子が操作された場合、該操作された操作子が共用操作子と個別操作子のいずれであっても、該操作に応じて、割り当てられたｃｈのみのパラメータを設定変更する。複数のｃｈが割り当てられたｃｈストリップの操作子のうち、共用操作子が操作された場合は、該操作に応じて、割り当てられた複数のｃｈのパラメータを同時に設定変更し、個別操作子が操作された場合は、該操作に応じて、割り当てられた複数のｃｈのうち前記選択された１つのｃｈのみのパラメータを設定変更する。
【発明の効果】
【００１２】
本発明によれば、従来のＤＣＡストリップへのｃｈの割り当てのように割り当てたいｃｈを全て選択するという面倒な手間をかけることなく、１つのｃｈストリップと１つのｃｈを選択するだけで、ｃｈ定義と割当規則に基づいて複数ｃｈの割り当てが自動的に成されるので、容易な操作で複数ｃｈの割り当てを行うことができる。また、少数のｃｈストリップに無駄なく複数ｃｈを割り当てることができる。また、１つのｃｈストリップに複数ｃｈを割り当てた場合でも、そのｃｈストリップ内の操作子を使って複数ｃｈの基本的なパラメータを変更することができる。従って、無駄にｃｈストリップを使うことを避けることができる。
【図面の簡単な説明】
【００１３】
【図１】実施形態のディジタルミキサのハードウエア構成を示すブロック図
【図２】ディジタルミキサの機能構成を示すブロック図
【図３】ディジタルミキサの外部パネルの外観（一部）図
【図４】カスタムファイルのエディット例（その１）を示す図
【図５】カスタムファイルのエディット例（その２）を示す図
【図６】カスタムファイルエディット処理のフローチャート
【図７】チャンネルキー押下処理およびカスタムキー押下処理のフローチャート
【図８】ｃｈ切替操作子処理のフローチャート
【図９】個別操作子処理のフローチャート
【図１０】共用操作子処理のフローチャート
【発明を実施するための形態】
【００１４】
以下、図面を用いて本発明の実施の形態を説明する。
【００１５】
図１は、この発明の実施の形態であるディジタルミキサのハードウエア構成を示すブロック図である。中央処理装置（ＣＰＵ）１０１は、このミキサ全体の動作を制御する処理装置である。フラッシュメモリ１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリである。表示器１０４は、このミキサの操作パネル上に設けられた各種の情報を表示するためのディスプレイである。電動フェーダ１０５は、操作パネル上に設けられたレベル設定用の操作子である。操作子１０６は、操作パネル上に設けられたユーザが操作するための各種の操作子（電動フェーダ以外のもの）である。波形入出力インターフェース（Ｉ／Ｏ）１０７は、外部機器との間で波形信号をやり取りするためのインターフェースである。信号処理部（ＤＳＰ）１０８は、ＣＰＵ１０１の指示に基づいて各種のマイクロプログラムを実行することにより、波形Ｉ／Ｏ１０７経由で入力した波形信号のミキシング処理、効果付与処理、および音量レベル制御処理などを行い、処理後の波形信号を波形Ｉ／Ｏ１０７経由で出力する。レコーダ１０９は、ＤＳＰ１０８から入力した楽音信号を記録し、また、記録してある楽音信号を再生する。その他Ｉ／Ｏ１１０は、その他の機器を接続するためのインターフェースである。バス１１１は、これら各部を接続するバスラインであり、コントロールバス、データバス、およびアドレスバスを総称したものである。
【００１６】
図２は、図１のディジタルミキサの機能構成を示すブロック図である。２０１はマイクなどで入力したアナログ音響信号をディジタル信号に変換した入力を示す。２０２はディジタル音響信号の入力を示す。これらの入力は、それぞれ複数本（その本数は装置構成に応じた上限がある）設けることができる。入力パッチ２０３は、上述した入力のラインから、入力チャンネル（ｃｈ）２０４への任意結線を行う。その結線の設定は、ユーザが所定の画面を見ながら任意に行うことができる。入力ｃｈ２０４は、シングルで９６ｃｈが設けられている。各入力ｃｈ２０４の信号は、１６本のＭＩＸバス２０５へ選択的に出力することができ、その送出レベルをそれぞれ独立に設定することができる。
【００１７】
ＭＩＸバス２０５の１６本の各バスは、入力ｃｈ２０４から入力する信号をミキシングする。ミキシングされた信号は、そのＭＩＸバスに対応する出力ｃｈ２０６（１〜１６ｃｈ）に出力される。ＭＩＸバス２０５と出力ｃｈ２０６とは１対１の対応で各ｃｈが対応づけられている。出力ｃｈ２０６の出力は、出力パッチ２０７に入力する。出力パッチ２０７は、出力ｃｈ２０６からアナログ出力２０８またはディジタル出力２０９への任意の結線を行う。その結線の設定は、ユーザが所定の画面を見ながら任意に行うことができる。
【００１８】
図３（ａ）は、本実施形態のディジタルミキサの外部パネルの外観（一部）を示す。３０１，３０２は、各種の情報を表示するディスプレイ（図１の１０４）である。各ディスプレイ３０１，３０２の下側にｃｈストリップ部（図１の１０５，１０６）が設けられている。左側のｃｈストリップ部は８本のｃｈストリップ３０３−１〜３０３−８からなり、右側のｃｈストリップ部は８本のｃｈストリップ３０４−１〜３０４−８からなる。１本のｃｈストリップ、例えば３０３−１は、ロータリエンコーダ３１１，３１２、ＯＮスイッチ３１３、ＳＥＬスイッチ３１４、ＣＵＥスイッチ３１６、表示部３１７、および電動フェーダ３１８を備える。ロータリエンコーダ３１１は、上側の画面３０１に表示される内容に応じて機能が切り替わる操作子である。ロータリエンコーダ３１２は、各種のパラメータ調整用のロータリエンコーダであり、その外側にレベルメータとなるＬＥＤを備えている。ＯＮスイッチ３１３は、当該ｃｈストリップ３０３−１が割り当てられているｃｈをオン／オフするスイッチである。ＳＥＬスイッチ３１４は、当該ｃｈストリップ３０３−１に割り当てられているｃｈを選択するときに使用するスイッチである。電動フェーダ３１８は、割り当てられているｃｈのレベル調整用のフェーダである。
【００１９】
図１のＲＡＭ１０３には、カレントメモリが設けられている。カレントメモリは、本ディジタルミキサにおける各種のパラメータ（各信号処理チャンネルのパラメータも当然含まれる）の現在値を記録している。カレントメモリ上のパラメータのうち、ＤＳＰ１０８における信号処理に関わるパラメータの現在値は、ＤＳＰ１０８にも係数データとして設定されており、ＤＳＰ１０８はそれらの現在値に基づいて各種の信号処理（ミキシング）を制御している。カレントメモリ上のパラメータ現在値は、電動フェーダやその他の操作子を使って変更することができる。すなわち、図３の各ｃｈストリップの操作子を操作すると、その操作子に該当するパラメータのカレントメモリ上の現在値がその操作内容に応じて書き替えられ、書き替えられた後の新しい現在値がＤＳＰ１０８へセットされ、ＤＳＰ１０８における信号処理に反映される。また、カレントメモリには、ｃｈストリップごとに、割り当て情報記録領域と表ｃｈ記録領域が設けられている。割り当て情報記録領域は、現時点で実際に各ｃｈストリップに割り当てられているｃｈを示す割り当て情報を記録する。表ｃｈ記録領域は、現時点で実際に各ｃｈストリップに表ｃｈとして設定されているｃｈを示す表ｃｈ情報を記録する。表ｃｈについては後に詳しく説明する。
【００２０】
図３（ｂ）は、本実施形態のディジタルミキサの外部パネル上に設けられているチャンネルキーおよびカスタムキーを示す。３４１は、１−１６ｃｈを割り当てるためのチャンネルキーである。このキー３４１がオンされると、図３（ａ）の１６本のｃｈストリップ３０３−１〜３０３−８，３０４−１〜３０４−８は、左側から順に、入力ｃｈのうちのｃｈ１〜ｃｈ１６が順に割り当てられる。具体的には、カレントメモリの割り当て情報記録領域に、ｃｈストリップ３０３−１〜３０３−８，３０４−１〜３０４−８にｃｈ１〜ｃｈ１６が順に割り当てられた旨を示す割り当て情報が設定される。これにより、例えばｃｈストリップ３０３−１のフェーダ３１８を操作すると、入力チャンネルｃｈ１のレベルが調整できる。チャンネルキー３４２〜３４６も同様のものであり、順に入力チャンネルのうちｃｈ１７〜ｃｈ３２、ｃｈ３３〜ｃｈ４８、ｃｈ４９〜ｃｈ６４、ｃｈ６５〜ｃｈ８０、およびｃｈ８１〜ｃｈ９６を割り当てるためのスイッチとなっている。チャンネルキー３４１〜３４６の操作による割り当てでは、１本のｃｈストリップに１つのｃｈが割り当てられる。
【００２１】
カスタムキー３４７，３４８（以下、カスタムキー１，２と呼ぶ）は、それぞれ、カスタムファイル１または２を読み出し、読み出したカスタムファイルに応じたｃｈストリップの割り当てを行うためのキーである。カスタムファイルは、各ｃｈストリップにどのｃｈを割り当てるかを示す割り当て情報を格納したファイルであり、フラッシュメモリ１０２にカスタムファイル１と２が格納されている。カスタムキー１または２のいずれかがオンされたとき、対応するカスタムファイル１または２が読み出され、カレントメモリの割り当て情報記録領域には、読み出したカスタムファイルに応じた割り当て情報が設定される。詳しくは後述するが、カスタムファイルを用いた割り当てでは、１本のｃｈストリップに複数ｃｈを割り当てることが可能である。その場合、その１本のｃｈストリップのフェーダを操作することで、割り当てられている複数ｃｈのレベルを一括して制御できることとなる。
【００２２】
図４および図５を参照して、カスタムファイルのエディット例について説明する。まず、カスタムファイルをエディットする前提としてのｃｈ定義の設定について説明する。
【００２３】
予め、入力ｃｈ１〜９６は、８ｃｈ毎のブロック（ｃｈ１から順に８ｃｈずつ区切るものとする）に分けられている。ユーザは、各ブロック単位でｃｈ定義を指定することで、そのブロックに含まれる各ｃｈにｃｈ定義を設定することができる。設定できるｃｈ定義としては、「ノーマル」、「ステレオ」、および「サラウンド」がある。例えば、入力ｃｈ１〜８のブロックは「ノーマル」に、入力ｃｈ９〜１６のブロックは「ステレオ」に、…というように８ｃｈ毎のブロックにｃｈ定義を指定する。なお、各ｃｈのｃｈ定義の設定の仕方は、任意である。ここでは、８ｃｈのブロック毎に指定しているが、個々のｃｈに対して個別にｃｈ定義を設定する方式でもよい。設定した各ｃｈのｃｈ定義は、フラッシュメモリ１０２に格納する。ｃｈ定義として「サラウンド」が設定された場合は、後述する割当規則も設定されるが、その割当規則もｃｈ定義とともにフラッシュメモリ１０２に格納する。
【００２４】
「ノーマル」は、そのブロックの各ｃｈを通常の個別のｃｈとして取り扱うことを意味する。「ステレオ」は、そのブロックの各ｃｈをｃｈ番号の昇順に２ｃｈずつのペアに分け、各ペアの２ｃｈをステレオＬＲのｃｈとして使用することを意味する。「サラウンド」は、そのブロックの８ｃｈの先頭の６ｃｈを５．１ｃｈサラウンドに割り当てることを意味する。
【００２５】
例えば、図４では、ｃｈ１〜８のブロックが「ノーマル」に、ｃｈ９〜１６のブロックが「ステレオ」に設定されている。付番４０１に示す縦線は、９６ｃｈある各入力ｃｈの系列を示し、それらの縦線の上の数字がそれぞれのｃｈ番号を示している。ｃｈ９〜１６のブロックのｃｈ定義が「ステレオ」であるので、ｃｈ９，１０がステレオＬＲのペアに、ｃｈ１１，１２がステレオＬＲのペアに、…というように定義されている。また、図５では、ｃｈ１〜８、ｃｈ９〜１６、およびｃｈ１７〜２４の各ブロックが「サラウンド」に設定されている。付番５０１に示す縦線は、９６ｃｈある各入力ｃｈの系列を示し、それらの縦線の上の数字がそれぞれのｃｈ番号を示している。ｃｈ１〜８のブロックのｃｈ定義が「サラウンド」であるので、その８ｃｈのうちの先頭の６ｃｈが順に、サラウンドのＬ，Ｒ，Ｃ，Ｌｓ，Ｒｓ，ＬＦＥに設定されている。ｃｈ９〜１６とｃｈ１７〜２４のブロックも同様である。なお、Ｌ，Ｒ，Ｃ，Ｌｓ，Ｒｓ，ＬＦＥは、５．１ｃｈサラウンドの前側左（Ｌ）、前側右（Ｒ）、センタ（Ｃ）、後側左（Ｌｓ）、後側右（Ｒｓ）、および重低音出力のウーハ（ＬＦＥ）の各信号を表す。
【００２６】
ｃｈ定義が「ステレオ」に設定されているステレオＬＲのペアの２ｃｈのまとまり、および、ｃｈ定義が「サラウンド」に設定されている５．１ｃｈサラウンドのＬ，Ｒ，Ｃ，Ｌｓ，Ｒｓ，ＬＦＥの６ｃｈのまとまりを、それぞれ「グループ」と呼ぶ。また、「グループ」に属する各ｃｈを「グループ化」されたｃｈと呼ぶ。例えば、図４のｃｈ９とｃｈ１０が１つの「グループ」を構成し、ｃｈ１１とｃｈ１２が１つの「グループ」を構成している。また、図５のｃｈ１〜６、ｃｈ９〜１４、およびｃｈ１７〜２２の各６ｃｈのまとまりはそれぞれが１つの「グループ」である。「ノーマル」が設定されたｃｈは、グループを構成しない。
【００２７】
図５に示すようにｃｈ定義として「サラウンド」が設定された場合は、そのブロックに対する割当規則として「タイプ１」、「タイプ２」、または「タイプ３」の何れかをユーザに選択させるものとする。この割当規則については、後に詳しく説明する。
【００２８】
ユーザは、上述したように、全入力ｃｈにそれぞれｃｈ定義を設定し、その後、カスタムファイルをエディットする。カスタムファイルのエディットは、所定の操作でエディットモードに入り、１６本のｃｈストリップ３０３−１〜３０３−８と３０４−１〜３０４−８の中から１本を選択し、選択したｃｈストリップに割り当てるｃｈを選択することにより行う。エディットする対象のカスタムファイルは、カスタムキー１をオンしたときに使用するカスタムファイル１、およびカスタムキー２をオンしたときに使用するカスタムファイル２であり、これらはフラッシュメモリ１０２に格納されている。
【００２９】
図４において、点線の矢印４１１は、エディットモードにおいて、ｃｈストリップ３０３−１を選択し、割り当てるｃｈとしてｃｈ１を選択した場合を示す。この場合、当該ｃｈ１のｃｈ定義は「ノーマル」であるので、そのｃｈを個別にｃｈストリップに割り当てる。従って、ｃｈ１がｃｈストリップ３０３−１に割り当てられる。同様に、点線の矢印４１２のように、ｃｈ２がｃｈストリップ３０３−２に割り当てられる。点線の矢印４１３は、ｃｈストリップ３０３−７を選択し、割り当てるｃｈとしてｃｈ９またはｃｈ１０の何れか１つを選択した場合を示す。いまｃｈ９を選択したとする。この場合、選択したｃｈ９のｃｈ定義は「ステレオ」であり、グループ化されたｃｈであるので、そのグループに属するｃｈ、すなわち選択したｃｈおよびそれとペアを組むｃｈを一括して当該ｃｈストリップに割り当てる。従って、ｃｈ９とｃｈ１０がｃｈストリップ３０３−７に割り当てられる。ｃｈ９の代わりにｃｈ１０が選択された場合も同様である。また、同様に点線の矢印４１４のように、ｃｈ１１またはｃｈ１２の何れかが選択されたときは、それらのｃｈ１１とｃｈ１２が一括してｃｈストリップ３０３−８に割り当てられる。
【００３０】
いまカスタムファイル１をエディット対象として選択して、上記図４で説明した割り当てを行い、エディットモードを終了したとする。これにより、カスタムファイル１には、上記図４で説明した割り当ての情報が格納される。次に、ユーザがカスタムキー１をオンすると、カスタムファイル１に応じたｃｈストリップの割り当てが実行される。これにより、カレントメモリの割り当て情報記録領域にはカスタムファイル１から読み出された割り当て情報が展開され、ｃｈストリップ３０３−１はｃｈ１に、ｃｈストリップ３０３−２はｃｈ２に、ｃｈストリップ３０３−７はｃｈ９，１０に、ｃｈストリップ３０３−８はｃｈ１１，１２に、それぞれ割り当てられる。従って、ｃｈストリップ３０３−１のフェーダを操作することによりｃｈ１のレベルが変更でき、ｃｈストリップ３０３−７のフェーダを操作することによりｃｈ９，１０のレベルが連動して変更できる。
【００３１】
図５において、点線の矢印５１１は、エディットモードにおいて、ｃｈストリップ３０３−１を選択し、割り当てるｃｈとしてｃｈ１〜６の何れか１つを選択した場合を示す。いまｃｈ１を選択したとする。この場合、選択したｃｈ１のｃｈ定義は「サラウンド」であり、割当規則には「タイプ１」が設定されている。「タイプ１」は、５．１ｃｈサラウンドを構成するグループ化された６ｃｈを一括して１本のｃｈストリップに割り当てることを指定する規則である。従って、選択したｃｈ１が属するグループの５．１ｃｈサラウンドの６ｃｈを一括して当該ｃｈストリップに割り当てる。これにより、ｃｈ１〜６がｃｈストリップ３０３−１に割り当てられる。ｃｈ１の代わりにｃｈ２〜６の中の１つが選択された場合も同様である。
【００３２】
点線の矢印５１２，５１３は、ｃｈストリップ３０３−７を選択し、割り当てるｃｈとしてｃｈ９〜１４の何れか１つを選択した場合を示す。いまｃｈ９を選択したとする。この場合、選択したｃｈ９のｃｈ定義は「サラウンド」であり、割当規則には「タイプ２」が設定されている。「タイプ２」は、５．１ｃｈサラウンドを構成するグループ化された６ｃｈのうち、始めの５ｃｈ（すなわち、Ｌ，Ｒ，Ｃ，Ｌｓ，Ｒｓ）を一括して１本のｃｈストリップに割り当て、残りの１ｃｈ（すなわち、ＬＦＥ）を１本のｃｈストリップに割り当てることを指定する規則である。従って、選択されたｃｈ９が属するグループの５．１ｃｈサラウンドの６ｃｈのうち、始めのｃｈ９〜１３を一括してｃｈストリップ３０３−７に割り当て（矢印５１２）、残りのｃｈ１４をｃｈストリップ３０３−８に割り当てる（矢印５１３）。ｃｈ９の代わりにｃｈ１０〜１４の中の１つが選択された場合も同様である。なお、タイプ２ではｃｈストリップが２本必要であるから、選択されたｃｈストリップが３０３−１〜３０３−７のときは、該選択されたｃｈストリップとその右隣のｃｈストリップを用いて、該選択されたｃｈストリップに５．１ｃｈサラウンドの６ｃｈのうちの始めの５ｃｈを割り当て、その右隣のｃｈストリップに残りの１ｃｈを割り当てるものとする。選択されたｃｈストリップが３０３−８のときは、その左隣のｃｈストリップに５．１ｃｈサラウンドの６ｃｈのうちの始めの５ｃｈを割り当て、選択されたｃｈストリップ３０３−８に残りの１ｃｈを割り当てるものとする。ｃｈストリップ３０４側に割り当てる場合も同様である。
【００３３】
点線の矢印５１４〜５１７は、ｃｈストリップ３０４−１を選択し、割り当てるｃｈとしてｃｈ１７〜２２の何れか１つを選択した場合を示す。いまｃｈ１７を選択したとする。この場合、選択したｃｈ１７のｃｈ定義は「サラウンド」であり、割当規則には「タイプ３」が設定されている。「タイプ３」は、５．１ｃｈサラウンドを構成するグループ化された６ｃｈのうち、始めの２ｃｈ（すなわち、Ｌ，Ｒ）を一括して１本のｃｈストリップに割り当て、次の１ｃｈ（すなわち、Ｃ）を１本のｃｈストリップに割り当て、次の２ｃｈ（すなわち、Ｌｓ，Ｒｓ）を一括して１本のｃｈストリップに割り当て、最後の１ｃｈ（すなわち、ＬＦＥ）を１本のｃｈストリップに割り当てることを指定する規則である。従って、選択されたｃｈ１７が属するグループの５．１ｃｈサラウンドの６ｃｈのうち、始めの２ｃｈ（Ｌ，Ｒ）を一括してｃｈストリップ３０４−１に割り当て（矢印５１４）、次の１ｃｈ（Ｃ）をｃｈストリップ３０４−２に割り当て（矢印５１５）、次の２ｃｈ（Ｌｓ，Ｒｓ）を一括してｃｈストリップ３０４−３に割り当て（矢印５１６）、最後の１ｃｈ（ＬＦＥ）をｃｈストリップ３０４−４に割り当てる（矢印５１７）。ｃｈ１７の代わりにｃｈ１８〜２２の中の１つが選択された場合も同様である。なお、タイプ３の割り当てでは、ｃｈストリップが４本必要であるから、選択されたｃｈストリップが３０４−１〜３０４−５のときは、該選択されたｃｈストリップとその右隣の３本のｃｈストリップの合わせて４本に、上述した順番で各ｃｈを割り当てるものとする。選択されたｃｈストリップが３０４−６〜３０４−８のときは、右側の４本のｃｈストリップ３０４−５〜３０４−８に、上述した順番で各ｃｈを割り当てるものとする。ｃｈストリップ３０３側に割り当てる場合も同様である。
【００３４】
いまカスタムファイル１をエディット対象として選択して、上記図５で説明した割り当てを行い、エディットモードを終了したとする。これにより、カスタムファイル１には、上記図５で説明した割り当ての情報が格納される。次に、ユーザがカスタムキー１をオンすると、カスタムファイル１に応じたｃｈストリップの割り当てが実行される。これにより、カレントメモリの割り当て情報記録領域にはカスタムファイル１から読み出された割り当て情報が展開され、ｃｈストリップ３０３−１はｃｈ１〜６に、ｃｈストリップ３０３−７はｃｈ９〜１３に、ｃｈストリップ３０３−８はｃｈ１４に、ｃｈストリップ３０４−１はｃｈ１７，１８に、ｃｈストリップ３０４−２はｃｈ１９に、ｃｈストリップ３０４−３はｃｈ２０，２１に、ｃｈストリップ３０４−４はｃｈ２２に、それぞれ割り当てられる。複数ｃｈが割り当てられているｃｈストリップについては、そのｃｈストリップのフェーダを操作することにより、それらの割り当てられている複数ｃｈのレベルが連動して変更できる。
【００３５】
「連動して」とは、１つの操作に基づいて複数のｃｈのパラメータ値を同時に変更することを言う。すなわち、複数のｃｈにおける同じ種類のパラメータの値を同時に変更するということであり、１つの操作に基づく操作量を複数のｃｈで共用するということである。変更の仕方には、操作量に基づいて絶対値で変更する方法と、相対値で変更する方法がある。絶対値で変更（絶対値で連動）する方法とは、操作量で決まる値を新しい現在値とし、その新しい現在値を複数すべてのｃｈのパラメータ現在値として上書きする方法である。相対値で変更（相対値で連動）する方法とは、操作量で決まる値とｃｈのパラメータ現在値との両方から、新しいパラメータ現在値を求め（例えば２つの値を加減算する）、複数あるｃｈ毎に、自己の現在値と、操作量で決まる値とから新しい現在値を求める方法である。相対値で連動する方法は、例えば、複数のｃｈのレベルを、現状での相対的なバランスを保った状態で、ｃｈストリップのフェーダの操作に応じて増減するような方法である。
【００３６】
図６は、カスタムファイルエディット処理のフローチャートを示す。エディット対象のカスタムファイルを選択し、エディットモードに入る所定の操作を行うと、図６の処理が開始される。ステップ６０１〜６０３は、ユーザの選択操作に応じて、選択されたｃｈストリップの番号と選択されたｃｈ番号を保持する処理である。ステップ６０４では、選択されたｃｈのｃｈ定義と割当規則に従って、選択された１つのｃｈと共に割り当てる他のｃｈを特定し、ステップ６０５で、他のｃｈがあるか否か判定する。選択されたｃｈのｃｈ定義が「ノーマル」なら、共に割り当てる他のｃｈは無いので、ステップ６１０に進む。「ステレオ」または「サラウンド」なら、共に割り当てる他のｃｈが有るので（「ステレオ」なら当該ｃｈとペアを組むｃｈがあり、「サラウンド」なら当該ｃｈを含む５．１ｃｈサラウンドの残りの５ｃｈがある）、ステップ６０６に進む。
【００３７】
ステップ６０６で、当該他のｃｈを、共に割り当てるか否かの指示がユーザからあるか否か検出し、あればステップ６０７から６０８に進み、なければステップ６０７から６１０に進む。この処理は、選択したｃｈ以外のｃｈについて自動的に割り当てをしてよいか、ユーザの確認を取るものである。ステップ６０８では、選択されたｃｈと、ステップ６０４で特定した他のｃｈを、割当規則に従って、選ばれている１つのｃｈストリップおよび連続する他のｃｈストリップへ割り当てる割当情報を生成し、処理対象のカスタムファイルへ書き込む。割り当ての仕方については、図４および図５で説明した通りである。次に、ステップ６０９で、ｃｈストリップの割当を確定し、終了する。ステップ６０５で他のｃｈが無いとき、およびステップ６０７で他のｃｈを共に割り当てる指示が無いときは、ステップ６１０で、選択されたｃｈを選択された１つのｃｈストリップへ割り当てる割当情報を生成し、処理対象のカスタムファイルへ書き込み、ステップ６０９へ進む。
【００３８】
なお、図６の処理は、あくまでもカスタムファイルの内容である各ｃｈストリップの割り当て情報を作成して、フラッシュメモリ１０２内のカスタムファイルに書き込む処理である。カスタムファイルに割り当て情報を書き込むと、実際のｃｈストリップのｃｈの割り当て状態が変更になるわけではない。カスタムファイルの割り当て情報を、実際のｃｈストリップのｃｈの割り当て状態に反映させるためには、ユーザのカスタムキー１または２の何れかの押下操作により後述する図７（ｂ）の処理が実行され、これによりカスタムファイル内の割り当て情報を読み出し、カレントメモリの割り当て情報記録領域に展開する必要がある。
【００３９】
図７（ａ）は、図３（ｂ）で説明したチャンネルキー３４１〜３４６の何れかがオンされたときに実行されるチャンネルキー押下処理のフローチャートである。ステップ７０１では、操作されたチャンネルキーに該当する１６ｃｈを１つずつ順にｃｈストリップ３０３−１〜３０３−８，３０４−１〜３０４−８へ割り当てる割り当て情報を、カレントメモリの割り当て情報記録領域に設定して割り当てを行い、終了する。
【００４０】
図７（ｂ）は、図３（ｂ）で説明したカスタムキー１，２の何れかがオンされたときに実行されるカスタムキー押下処理のフローチャートである。ステップ７１１では、操作されたカスタムキーに該当するカスタムファイルを読み出す。ステップ７１２では、読み出したカスタムファイルの割り当て情報をカレントメモリの割り当て情報記録領域に設定して、ｃｈストリップ３０３−１〜３０３−８，３０４−１〜３０４−８へｃｈを割り当てる。
【００４１】
次に、１本のｃｈストリップに複数ｃｈを割り当てたとき、該ｃｈストリップの操作子をそれら複数ｃｈ間で切り替えて使用する機能について説明する。図３（ａ）に示したように、１本のｃｈストリップは種々の操作子を含む。１本のｃｈストリップに１つのｃｈが割り当てられていたとすると、（各操作子の機能は所定の選択操作により切り替えることができるが、基本的には、）エンコーダ３１２は当該入力ｃｈからＭＩＸバス２０５−１〜２０５−１６へのセンドレベルを調節する操作子、ＯＮスイッチ３１３は当該入力ｃｈのオン／オフを切り替える操作子、ＳＥＬスイッチ３１４は当該入力ｃｈを操作対象として選択するための操作子、ＣＵＥスイッチ３１６は当該入力ｃｈの信号をキューモニターするための操作子、フェーダ３１８は当該入力ｃｈの入力レベルを調節するための操作子として、それぞれ機能する。一方、１本のｃｈストリップに複数ｃｈを割り当てた場合、例えばフェーダは、割り当てられた複数ｃｈについて現状のバランスを保持しつつ連動してレベルを増減する操作子として、すなわち割り当てられた複数ｃｈを制御対象として共用する操作子として、機能するのが望ましい。これに対し、エンコーダ３１２やＯＮスイッチ３１３やＣＵＥスイッチ３１６は、複数ｃｈを制御対象として共用することも可能だが、１つのｃｈを制御対象とする個別の操作子として機能するのが有用である。
【００４２】
そこで、本実施形態では、ｃｈストリップ内の各操作子を共用操作子と個別操作子に分けている。共用操作子は、割り当てられた複数のｃｈで制御を共用できるパラメータの設定変更に使用する操作子である。共用操作子が操作されたときは、当該ｃｈストリップに割り当てられている複数のｃｈの、該共用操作子に対応するパラメータが、該操作に応じて同時に設定変更される。共用操作子としては、例えば、フェーダ３１８がある。個別操作子は、割り当てられた複数のｃｈのそれぞれで個別に制御するパラメータの設定変更に使用する操作子である。すなわち、個別操作子は、複数のｃｈで共用できないパラメータ、各ｃｈ個別でしか制御できない（若しくは個別に制御することが望ましい）パラメータの、設定変更に使用する操作子である。個別操作子としては、例えば、エンコーダ３１２やＯＮスイッチ３１３やＣＵＥスイッチ３１６がある。もちろん共用操作子と個別操作子のどちらにもなり得る操作子もある。例えば、ＣＵＥスイッチ３１６は、共用操作子として、割り当てられた複数ｃｈの全てをモニタすることを指示するスイッチとしてもよいし、個別操作子として、割り当てられた複数ｃｈのうちの１つのｃｈをモニタすることを指示するスイッチとしてもよいから、共用操作子と個別操作子のどちらにもなり得る操作子であると言える。このような操作子については、共用操作子と個別操作子のどちらにした方が使い勝手がよくなるかを判断して、共用操作子が個別操作子かを決めるようにすればよい。本実施形態では、フェーダ３１８を共用操作子とし、エンコーダ３１２、ＯＮスイッチ３１３、およびＣＵＥスイッチ３１６を個別操作子とした。
【００４３】
ｃｈストリップ内にある個別操作子を操作したとき、その操作に応じて、複数ｃｈのうちのどのｃｈのパラメータを設定変更するか、その操作対象ｃｈを設定するための個別操作ｃｈ設定手段として、ＳＥＬスイッチ３１４を用いる。説明の便宜のため、表ｃｈと裏ｃｈという概念を導入する。表ｃｈとは、１つのｃｈストリップに割り当てられている複数ｃｈのうち個別操作子の操作対象とされているｃｈであり、裏ｃｈとは、個別操作子の操作対象とされていないｃｈである。表ｃｈは、割り当てられている複数ｃｈのうち、複数ｃｈで制御を共有することができず個別に制御するしかないパラメータについてその値を操作できるｃｈと言える。裏ｃｈは、そのような操作ができないｃｈと言える。
【００４４】
１本のｃｈストリップに複数ｃｈが割り当てられている場合、そのｃｈストリップのＳＥＬスイッチ３１４を押下する毎に、割り当てられている複数ｃｈの中から順に表ｃｈが切り替わる。表ｃｈの初期値は、割り当てた複数ｃｈのうちｃｈ番号が一番若いｃｈとすればよい（上述の図７（ｂ）のステップ７１２で、１本のｃｈストリップに複数ｃｈを割り当てた場合、それら複数ｃｈのうちのｃｈ番号が一番若いｃｈを表ｃｈとすればよい）。
【００４５】
例えば、図４の例では、ステレオＬＲのｃｈ９，１０が１本のｃｈストリップの３０３−７に割り当てられているので、初期値では、該ｃｈストリップの３０３−７の表ｃｈはｃｈ９となり、該ｃｈストリップのＳＥＬスイッチ３１４をオンすると表ｃｈはｃｈ１０に切り替わる。以下、該ＳＥＬスイッチ３１４をオンする毎に、ｃｈ９とｃｈ１０が交互に表ｃｈとなる。このとき、該ｃｈストリップ３０３−７のエンコーダ３１２、ＯＮスイッチ３１３、およびＣＵＥスイッチ３１６は、表ｃｈを制御するためのスイッチとして働く。フェーダ３１８は、共用操作子であるので、表ｃｈにかかわらず、ｃｈ９，１０の両方のレベルを連動して調整する操作子として働く。図５の「サラウンド」の場合も同様である。例えば、図５の割当規則「タイプ１」の例では、１つのｃｈストリップにｃｈ１〜６が割り当てられているので、表ｃｈの初期値はｃｈ１となり、以降、ＳＥＬスイッチがオンされる毎に、ｃｈ２→ｃｈ３→ｃｈ４→ｃｈ５→ｃｈ６→ｃｈ１→…と表ｃｈが切り替わる。
【００４６】
なお、１本のｃｈストリップに１つのｃｈが割り当てられている場合は、共用操作子および個別操作子のどちらであっても、そのｃｈストリップ内の操作子の操作に応じて、割り当てられているｃｈのみのパラメータ（要するに、操作対象である１つのｃｈのパラメータ）が設定変更される。
【００４７】
図８は、個別操作ｃｈ設定手段であるＳＥＬスイッチ３１４がオンされたときに実行されるｃｈ切替操作子処理のフローチャートを示す。ステップ８０１，８０２で、当該ｃｈストリップに割り当てられているｃｈの状態を調べ、複数ｃｈか判定する。複数ｃｈでないときは、ステップ８０５で通常のＳＥＬスイッチ処理を行い、終了する。複数ｃｈのときは、ステップ８０３で、次に表ｃｈとするｃｈを特定する。ステップ８０４で、特定されたｃｈを当該ｃｈストリップの表ｃｈとして設定し（具体的には、カレントメモリの表ｃｈ記録領域に設定する）、終了する。なお、表ｃｈが切り替えられたときには、新たに表ｃｈに選ばれたｃｈのパラメータを、そのｃｈストリップの各種表示部や、ディスプレイ内の当該ｃｈストリップに対応する表示領域に表示するものとする。
【００４８】
図８のステップ８０１，８０２で、ｃｈストリップに割り当てられているｃｈが１つか複数かを調べるのは、カレントメモリの割り当て情報記録領域を参照すればよい。また、以下のように行ってもよい。まず、ｃｈの割り当てが図３（ｂ）のチャンネルキー３４１〜３４６で行われている場合は、複数のｃｈが割り当てられていることは無いと判定できる。ｃｈの割り当てが図３（ｂ）のカスタムキー１，２で行われている場合は、１本のｃｈストリップに複数のｃｈが割り当てられている可能性があるため、カスタムファイルを参照して、当該ｃｈストリップに割り当てられているｃｈ数を調べる。なお、後述する図９のステップ９０１，９０２および図１０のステップ１００１，１００２でも同様の処理を行えばよい。
【００４９】
図９は、個別操作子処理のフローチャートを示す。任意のｃｈストリップ内の個別操作子が操作されたとき、本処理が実行される。ステップ９０１，９０２で、カレントメモリの割り当て情報記録領域を参照して、当該ｃｈストリップに割り当てられているｃｈの状態を調べ、複数ｃｈか判定する。複数ｃｈでないときは、ステップ９０５で、割り当てられている１つのｃｈの当該個別操作子に対応するパラメータの値を、操作された量だけ変更し、終了する。複数ｃｈのときは、ステップ９０３で、カレントメモリの表ｃｈ記録領域を参照して、当該ｃｈストリップの現時点の表ｃｈを特定する。ステップ９０４で、該表ｃｈの当該個別操作子に対応するパラメータの値を、操作された量だけ変更し、終了する。
【００５０】
図１０は、共用操作子処理のフローチャートを示す。任意のｃｈストリップ内の共用操作子が操作されたとき、本処理が実行される。ステップ１００１，１００２で、カレントメモリの割り当て情報記録領域を参照して、当該ｃｈストリップに割り当てられているｃｈの状態を調べ、複数ｃｈか判定する。複数ｃｈでないときは、ステップ１００５で、割り当てられている１つのｃｈの当該共用操作子に対応するパラメータの値を、操作された量だけ変更し、終了する。複数ｃｈのときは、ステップ１００３で、カレントメモリの割り当て情報記録領域を参照して、割り当てられているｃｈを全て特定する。ステップ１００４で、特定した全てのｃｈの当該共用操作子に対応するパラメータの値を、操作された量だけ連動して変更し、終了する。
【００５１】
なお、図８の処理で表ｃｈを切り替え、個別操作子が操作されたときは図９のように処理し、共用操作子が操作されたときは図１０のように処理する方式は、カスタムファイルに応じてｃｈストリップに複数ｃｈを割り当てる場合に限られるものではない。例えば、従来より知られているＤＣＡ機能によりＤＣＡストリップに複数ｃｈを割り当てることができるが、そのような場合でも表ｃｈなどの概念を導入し、図８〜図１０のように処理することが可能である。
【００５２】
なお、上記実施形態では、フェーダ３１８を共用操作子とし、エンコーダ３１２、ＯＮスイッチ３１３、およびＣＵＥスイッチ３１６を個別操作子とする例を説明したが、物理的な操作子とその操作子で制御するパラメータとの対応関係をユーザが指定できるようにしたもの（すなわち、各操作子で制御できるパラメータを切り替え可能としたもの）の場合は、その時点で操作子に割り当てられているパラメータに応じてその操作子を共用操作子とするか個別操作子とするかを決定すればよい。共用操作子で複数ｃｈを連動制御可能なパラメータとしては、ＥＱ、コンプレッサ、音量レベル、チャンネルオンオフ、および、パンなどがある。これらのパラメータは、主に、入力ｃｈから出力するオーディオ信号の音特性の調整を主な目的とするパラメータである。個別操作子で個別に制御した方がよいパラメータとしては、ヘッドアンプゲイン、アッテネータ、ディレイ、および、フェーズ切り替えなどがある。これらのパラメータは、主に、入力ｃｈに入力されるオーディオ信号の音特性の調整を主な目的とするパラメータである。
【００５３】
上記実施形態では、ｃｈストリップに入力ｃｈを割り当てる場合を説明したが、本発明は、入力ｃｈに限ることはなく、ｃｈストリップに、ミキシング用ｃｈや出力ｃｈなどを割り当ててもよい。出力ｃｈを割り当てる場合、出力ｃｈが扱うバスの種類（ミックスバス、ステレオバス、サラウンドバス）をグループとして、入力ｃｈの場合と同様に構成することができる。
【００５４】
上記実施形態では、５．１ｃｈサラウンドを例として説明したが、本発明は、他のｃｈ数のサラウンド（６．１ｃｈサラウンドや７．１ｃｈサラウンド）にも適用可能である。
【００５５】
上記実施形態では、ノーマル、ステレオ、サラウンドというｃｈ定義を使ってグループの関係を規定したが、そのようなｃｈ定義を使わずにグループの関係を規定してもよい。すなわち、１つのｃｈストリップに、全ｃｈから任意に選択した複数のｃｈを割り当てて、割り当てた複数のｃｈがグループの関係を構成するものとしてもよい。
【符号の説明】
【００５６】
１０１…中央処理装置（ＣＰＵ）、１０２…フラッシュメモリ、１０３…ランダムアクセスメモリ（ＲＡＭ）、１０４…表示器、１０５…電動フェーダ、１０６…操作子、１０７…波形入出力インターフェース（Ｉ／Ｏ）、１０８…信号処理部（ＤＳＰ）、１０９…レコーダ、１１０…その他Ｉ／Ｏ、１１１…バスライン。
【図１】
2011023839.tif 000003
【図２】
2011023839.tif 000004
【図３】
2011023839.tif 000005
【図４】
2011023839.tif 000006
【図５】
2011023839.tif 000007
【図６】
2011023839.tif 000008
【図７】
2011023839.tif 000009
【図８】
2011023839.tif 000010
【図９】
2011023839.tif 000011
【図１０】
2011023839.tif 000012